(57)【要約】【課題】  人や商品の状態を管理するために使用される識別用タグにおいて、この識別用タグと共に行動する人のプライバシーを侵害しないようにする。【解決手段】  識別用タグ１ａにおいては、無線により予め定められた入力信号を受信すると、無線により固有の出力信号を送信するＩＣチップ１３と、予め定められた時間が経過するとＩＣチップ１３による出力信号の送信を停止させる被酸化部１５と、を備えている。従って、このような識別用タグ１ａによれば、予め定められた時間が経過すると、被酸化部１５が酸化されることにより、ＩＣチップ１３による出力信号の送信を停止させることができるので、この識別用タグ１ａを持参する人の行動が監視され続けることを防止することができる。【選択図】  図１
2006163719.tif 000002
【特許請求の範囲】
【請求項１】
無線により予め定められた入力信号を受信すると、無線により固有の出力信号を送信する送信手段と、
予め定められた時間が経過すると前記送信手段による出力信号の送信を停止させる時限停止手段と、
を備えたことを特徴とする識別用タグ。
【請求項２】
前記時限停止手段は、前記送信手段を構成する配線の少なくとも１箇所を切断、または短絡するか、或いはこの配線の抵抗値を変化させることにより、前記送信手段による出力信号の送信を停止させること、を特徴とする請求項１に記載の識別用タグ。
【請求項３】
前記時限停止手段は、多数の穿孔が形成され、前記送信手段を覆うカバー部材からなる
ことを特徴とする請求項２に記載の識別用タグ。
【請求項４】
前記時限停止手段は、空気中の水分を吸収することにより金属を腐食させる性質を有する物質からなること、を特徴とする請求項２に記載の識別用タグ。
【請求項５】
多数の穿孔が形成され、前記送信手段を覆うカバー部材を備え、
前記時限停止手段は、前記カバー部材により封止されていること
を特徴とする請求項４に記載の識別用タグ。
【請求項６】
当該識別用タグは、
シート状に形成されており、
前記送信手段に接続され、当該識別用タグの一方側の面に露出した複数の端子部を備え、
当該識別用タグの使用前には、導電性基材と接着された状態で巻回されており、
当該識別用タグの使用時には、前記端子部と前記導電性基材とを引き離して使用されること
を特徴とする請求項１〜請求項５の何れかに記載の識別用タグ。
【発明の詳細な説明】
【技術分野】
【０００１】
本発明は、人や商品の状態を管理するために使用される識別用タグに関する。
【背景技術】
【０００２】
従来より、スーパーマーケット等の商店において、ＩＣタグを用いて商品の販売管理を行なうシステムが知られている。
このようなシステムにおいては、商店にて各商品にＩＣタグを取り付けておき、顧客が購入するために選択した商品に取り付けられたＩＣタグの情報を、電波等を用いて非接触で読み取ることにより、商品の代金精算や販売管理を行っている（例えば、特許文献１参照）。
【特許文献１】特開平８−２０２７６８号公報
【発明の開示】
【発明が解決しようとする課題】
【０００３】
ところで、上記特許文献には、商品の代金精算や販売管理に使用された後の商品に取り付けられたＩＣタグがどのような取り扱いを受けるのかに関しての言及はなされていない。また、近年では、比較的長距離の無線通信を可能としたＩＣタグおよびその読取装置が開発されている。
【０００４】
このような事情を鑑みると、この商品の購入者が、ＩＣタグが付いた商品を身に付けて行動する場合、このＩＣタグの情報を取得する読取装置が購入者の行動範囲内に設置されていれば、購入者は行動を監視されてしまう虞がある。
【０００５】
このような問題点は、博覧会や公共交通機関等において使用されるＩＣタグ入りの入場券（乗車券）のように、人の動き（入場、退場、通過等）の状態を管理するために使用されるＩＣタグにおいても同様のことがいえる。
【０００６】
つまり、このＩＣタグの情報を取得する読取装置がこの人の行動範囲内に設置されていれば、不要となったＩＣタグ入りの入場券（乗車券）を持参している人は行動を監視されてしまう虞がある。
【０００７】
そこで、このような問題点を鑑み、人や商品の状態を管理するために使用される識別用タグにおいて、この識別用タグと共に行動する人のプライバシーを侵害しないようにすることを本発明の目的とする。
【課題を解決するための手段】
【０００８】
かかる目的を達成するためになされた請求項１に記載の識別用タグは、無線により予め定められた入力信号を受信すると、無線により固有の出力信号を送信する送信手段と、予め定められた時間が経過すると前記送信手段による出力信号の送信を停止させる時限停止手段と、を備えたことを特徴としている。
【０００９】
従って、このような識別用タグによれば、予め定められた時間が経過すると、送信手段による出力信号の送信を停止させることができるので、この識別用タグを持参する人の行動が監視され続けることを防止することができ、延いては、この識別用タグと共に行動する人のプライバシーを侵害しないようにすることができる。
【００１０】
また、請求項１に記載の識別用タグにおいて、時限停止手段は、請求項２に記載のように、送信手段を構成する配線の少なくとも１箇所を切断、または短絡するか、或いはこの配線の抵抗値を変化（以下、切断等ともいう。）させることにより、送信手段による出力信号の送信を停止させることが望ましい。
【００１１】
このような識別用タグによれば、送信手段を確実に停止させることができる。
ところで、請求項２に記載の識別用タグにおいて、時限停止手段は、送信手段を構成する配線の少なくとも１箇所を切断等する電子回路により構成されていてもよいが、より好ましくは、請求項３に記載のように、時限停止手段は、多数の穿孔が形成され、送信手段を覆うカバー部材から構成されているか、或いは請求項４に記載のように、空気中の水分を吸収することにより金属を腐食させる性質を有する物質から構成されていることが望ましい。
【００１２】
このような識別用タグによれば、簡単な構成で送信手段による出力信号の送信を停止させることができる。
特に、請求項３に記載の識別用タグによれば、送信手段を保護することができると共に、送信手段を構成する配線を外気に触れさせることができるので、配線を酸化させることができる。また、穿孔の大きさやその数を調整することにより、識別用タグの使用可能時間を調節することができる。
【００１３】
一方、請求項４に記載の識別用タグによれば、金属を腐食させる性質を有する物質を用いるので、配線を酸化または切断する確実性を向上させることができる。
なお、空気中の水分を吸収することにより金属を腐食させる性質を有する物質としては、例えば、塩化マグネシウムや塩化カリウム等の潮解性を有する物質を使用すればよい。
【００１４】
さらに、請求項４に記載の識別用タグにおいて、多数の穿孔が形成され、前記送信手段を覆うカバー部材を備えている場合には、時限停止手段は、請求項５に記載のように、カバー部材により封止されていることが望ましい。
【００１５】
このような識別用タグによれば、送信手段を保護することができると共に、穿孔の大きさやその数を調整することにより、識別用タグの使用可能時間（つまり、時限停止手段が送信手段を停止させるまでの時間）を調節することができる。
【００１６】
また、請求項１〜請求項５の何れかに記載の識別用タグにおいては、請求項６に記載のように、シート状に形成されており、送信手段に接続され、この識別用タグの一方側の面に露出した複数の端子部を備え、この識別用タグの使用前には、導電性基材と接着された状態で巻回されており、この識別用タグの使用時には、複数の端子部と導電性基材とを引き離して使用されることが望ましい。
【００１７】
このような識別用タグによれば、この識別用タグの使用前に、複数の端子部間を導電性基材により導通しておくことにより、送信手段の機能を停止させておくことができ、この識別用タグの使用時には、送信手段の機能を稼働させることができる。
【００１８】
特に、請求項３または請求項５に記載の識別用タグに本発明（請求項６）を適用すれば、このタグの使用前に識別用タグを巻回しておくことにより、カバー部材に形成された穿孔を塞いでおくことができるので、時限停止手段の機能を停止させておくことができる。
【発明を実施するための最良の形態】
【００１９】
以下に本発明にかかる実施の形態を図面と共に説明する。
【実施例１】
【００２０】
実施例１の識別用タグ１ａの構成について、図１を用いて説明する。図１（ａ）は識別用タグ１ａを示す上面図、図１（ｂ）は識別用タグ１ａのＡ−Ａ断面図、図１（ｃ）は識別用タグ１ａのＢ−Ｂ断面図である。
【００２１】
識別用タグ１ａは、図１（ａ）〜図１（ｃ）に示すように、略長方形のシート状に形成された基材２０の内部に各構成部品を封止した構成とされている。
即ち、基材２０の内部には、電波の送受信を行なうためのコイルアンテナ１１と、ＩＣチップ１３（本発明でいう送信手段）と、コイルアンテナ１１およびＩＣチップ１３を電気的に接続する配線１７と、端子部１９ａ，１９ｂとが備えられている。
【００２２】
基材２０は、図１（ｂ）に示すように、カバー部材２１と、絶縁粘着部材２３とから構成されている。
カバー部材２１には、図示しない無数の穿孔が形成されており、基材２０の内部に配置された各構成要素が外気と接触するよう設定されている。また、コイルアンテナ１１、ＩＣチップ１３、および配線１７は、カバー部材２１と絶縁粘着部材２３との間に配置されている。
【００２３】
コイルアンテナ１１は、例えば、金属箔（銅箔等）からなり、所定周波数の電波を受信し易いように、その長さおよび幅が設定されている。
ＩＣチップ１３は、コイルアンテナ１１により受信された電波の共振周波数を決定するためのコンデンサ（図示省略）と、ＩＣチップ１３毎に割り当てられた識別番号を記憶する記憶部（図示省略）とを備えている。
【００２４】
このＩＣチップ１３は、コイルアンテナ１１と内部のコンデンサとにより決定される共振周波数の電波を受信すると、電磁誘導により起電力を発生し、内部の記憶部に記憶された識別番号の情報をコイルアンテナ１１を介して送信する。
【００２５】
配線１７は、一部が酸化しやすい物質（アルミニウム等のイオン化傾向が大きな物質）の薄膜にて構成された被酸化部１５（本発明でいう時限停止手段）を備えている。この被酸化部１５は、酸化されると抵抗値が増加し、さらに酸化が進むと断線するよう設定されている。
【００２６】
端子部１９ａ，１９ｂは、コイルアンテナ１１の両端部に接続され、基材２０の表面に突出して配置されている（図１（ａ）、図１（ｂ）参照）。
上記に説明した識別用タグ１ａは、絶縁粘着部材２３を管理対象とする商品や管理対象となる人が所持する物品に接触させることにより、その商品（物品）に貼り付けられて使用されることとなる。
【００２７】
ところで、この識別用タグ１ａが使用される前には、図２に示すような状態とされている。ここで、図２は使用前の識別用タグ１ａの状態を示す側面図である。
識別用タグ１ａは、商品等に貼り付けられる前においては、図２（図２（ａ）および図２（ｂ））に示すように、この識別用タグ１ａが多数連接され、巻回された巻回タグ３１の状態で保存されている。
【００２８】
ここで、巻回タグ３１は、ベース部材２５と導電粘着部材２７（本発明でいう導電性基材）とからなる剥離部材２９のベース部材２５側に、多数の識別用タグ１ａを貼り付けることにより構成されている。
【００２９】
ベース部材２５は、識別用タグ１ａを貼り付ける側の面が、識別用タグ１ａを剥がし易いよう表面加工されている。
導電粘着部材２７は、公知の弱粘着性の導電性接着剤からなり、巻回タグ３１は、この導電粘着部材２７の接着力により、巻回タグ３１の巻回状態が緩まないように維持されている。また、この状態において、この導電粘着部材２７は、巻回タグ３１の外周側に位置する識別用タグ１ａのカバー部材２１と密着する。
【００３０】
つまり、導電粘着部材２７は巻回タグ３１が巻回状態のときに、カバー部材２１に形成された穿孔を塞ぐので、識別用タグ１ａの内部の構成要素（特に被酸化部１５）が外気に触れることを防止している。
【００３１】
また、導電粘着部材２７は巻回タグ３１が巻回状態のときに、カバー部材２１の表面側に突出して配置された端子部１９ａおよび１９ｂの両方に接触し、各端子部１９ａ，１９ｂ間を短絡させる。このため、この識別用タグ１ａにおけるコイルアンテナ１１は、アンテナとしての機能が停止されるので、この識別用タグ１ａは使用不可能な状態となる。
【００３２】
ここで、この巻回タグ３１から識別用タグ１ａを取り出して使用する際には、巻回タグ３１の最外周に位置する識別用タグ１ａのカバー部材２１と、このカバー部材２１に隣接する導電粘着部材２７との間を引き剥がすことにより、必要量の識別用タグ１ａが取り出されることとなる。
【００３３】
このようにして識別用タグ１ａを引き出すと、各端子部１９ａ，１９ｂと導電粘着部２７は引き剥がされるので、各端子部１９ａ，１９ｂ間の短絡状態は解除され、識別用タグ１ａを使用可能な状態となる。
【００３４】
また、これと同時に、識別用タグ１ａの内部に位置する各構成要素（特に被酸化部１５）は、カバー部材２１に形成された穿孔を介して外気と接触するようになるので、被酸化部１５の酸化が開始される。
【００３５】
以上のように詳述した識別用タグ１ａにおいては、無線により予め定められた入力信号を受信すると、無線により固有の出力信号を送信するＩＣチップ１３と、予め定められた時間が経過するとＩＣチップ１３による出力信号の送信を停止させる被酸化部１５と、を備えている。
【００３６】
従って、このような識別用タグ１ａによれば、予め定められた時間が経過すると、ＩＣチップ１３による出力信号の送信を停止させることができるので、この識別用タグ１ａを持参する人の行動が監視され続けることを防止することができ、延いては、この識別用タグ１ａと共に行動する人のプライバシーを侵害しないようにすることができる。
【００３７】
また、被酸化部１５においては、ＩＣチップ１３を構成する配線１７の少なくとも１箇所を切断するか、或いはこの配線１７の抵抗値を変化させることにより、ＩＣチップ１３による出力信号の送信を停止させるよう構成されている。
【００３８】
このような識別用タグ１ａによれば、ＩＣチップ１３を確実に停止させることができる。
また、被酸化部１５は、多数の穿孔が形成され、ＩＣチップ１３を覆うカバー部材２１から構成されている。
【００３９】
このような識別用タグ１ａによれば、簡単な構成でＩＣチップ１３による出力信号の送信を停止させることができる。
また、識別用タグ１ａによれば、ＩＣチップ１３を保護することができると共に、ＩＣチップ１３を構成する配線１７を外気に触れさせることができるので、配線１７を酸化させることができる。また、穿孔の大きさやその数を調整することにより、識別用タグ１ａの使用可能時間を調節することができる。
【００４０】
さらに、識別用タグ１ａは、シート状に形成されており、ＩＣチップ１３に接続され、この識別用タグ１ａの一方側の面に露出した複数の端子部１９ａ，１９ｂを備え、この識別用タグ１ａの使用前には、導電粘着部材２７と接着された状態で巻回されており、この識別用タグ１ａの使用時には、複数の端子部１９ａ，１９ｂと導電粘着部材２７とを引き離して使用されることが望ましい。
【００４１】
このような識別用タグ１ａによれば、この識別用タグ１ａの使用前に、複数の端子部１９ａ，１９ｂ間を導電粘着部材２７により導通しておくことにより、ＩＣチップ１３の機能を停止させておくことができ、この識別用タグ１ａの使用時には、ＩＣチップ１３の機能を稼働させることができる。
【００４２】
また、この識別用タグ１ａの使用前に識別用タグ１ａを巻回しておくことにより、カバー部材２１に形成された穿孔を塞いでおくことができるので、この識別用タグ１ａの使用前に被酸化部１５が酸化しないようにすることができる。
【００４３】
なお、本発明の実施の形態は、上記の実施形態に何ら限定されることはなく、本発明の技術的範囲に属する限り種々の形態を採りうる。
例えば、本実施例においては、被酸化部１５が酸化されることにより、ＩＣチップ１３を構成する配線１７の少なくとも１箇所を切断等するよう構成したが、例えば、ＩＣチップ１３内に電子回路からなるタイマ回路を備えておき、このタイマ回路からの指令に基づいて、ＩＣチップ１３が自らの配線を切断等するよう構成してもよい。
【実施例２】
【００４４】
次に、別形態の識別用タグ１ｂについて説明する。本実施例（実施例２）にて説明する識別用タグ１ｂは、被酸化部１５付近の構成が異なるのみであって、その他の構成は実施例１の識別用タグ１ａと同様の構成である。従って、本実施例（実施例２）では、実施例１の識別用タグ１ａと異なる箇所のみを詳述し、実施例１の識別用タグ１ａと同様の箇所については、同一の符号を付して説明を省略する。
【００４５】
本実施例の識別用タグ１ｂについて、図３を用いて説明する。図３は、図１（ａ）に示す識別用タグ１ｂのＢ−Ｂ断面図である。
識別用タグ１ｂには、図３に示すように、カバー部材２１と絶縁粘着部材２３との間であって、被酸化部１５と接触する位置に、空気中の水分を吸収することにより金属の腐食を促進する性質を有する腐食促進物質５１が封入されている。この腐食促進物質５１は、カバー部材２１に形成された穿孔を介して外気と接触し、外気中に含まれる水分を吸収するよう設定されている。
【００４６】
なお、腐食促進物質５１としては、例えば、塩化マグネシウムや塩化カリウム等の潮解性を有する物質を用いることができる。
また、識別用タグ１ｂに封入される腐食促進物質５１の量および材質や、カバー部材２１に形成される穿孔の数および大きさは、識別用タグ１ｂを使用する時間により決定される。
【００４７】
上記に説明した識別用タグ１ｂにおいては、空気中の水分を吸収することにより金属を腐食させる性質を有する腐食促進物質５１により、被酸化部１５を腐食させるよう構成されている。
【００４８】
従って、識別用タグ１ｂによれば、配線１７を酸化または切断する確実性を向上させることができる。
さらに、識別用タグ１ｂにおいては、多数の穿孔が形成され、ＩＣチップ１３を覆うカバー部材２１を備えており、被酸化部１５は、カバー部材２１により封止されている。
【００４９】
従って、識別用タグ１ｂによれば、ＩＣチップ１３を保護することができると共に、穿孔の大きさやその数を調整することにより、識別用タグ１ｂの使用可能時間（つまり、被酸化部１５がＩＣチップ１３を停止させるまでの時間）を調節することができる。
【図面の簡単な説明】
【００５０】
【図１】識別用タグ１ａ，１ｂを示す上面図（ａ）、識別用タグ１ａのＡ−Ａ断面図（ｂ）、識別用タグ１ａのＢ−Ｂ断面図（ｃ）である。
【図２】使用前の識別用タグ１ａの状態を示す側面図である。
【図３】実施例２の識別用タグ１ｂのＢ−Ｂ断面図である。
【符号の説明】
【００５１】
１ａ，１ｂ…識別用タグ、１１…コイルアンテナ、１３…ＩＣチップ、１５…被酸化部、１７…配線、１９ａ，１９ｂ…端子部、２０…基材、２１…カバー部材、２３…絶縁粘着部材、２５…ベース部材、２７…導電粘着部材、２９…剥離部材、３１…巻回タグ、５１…腐食促進物質。
【図１】
2006163719.tif 000003
【図２】
2006163719.tif 000004
【図３】
2006163719.tif 000005